(57)【要約】【課題】複数のＭＩＨユーザが設定する閾値を混同することなく、無線状態の変動を対応するＭＩＨユーザに迅速に通知可能な、無線通信装置を提供する。【解決手段】本発明に係る無線通信装置(1)は、アプリケーション部(10)と、通信部(30)と、機能部(20)と、を備える無線通信装置であって、アプリケーション部に含まれる無線通信アプリケーションは、ネットワークの無線状態に関する第１閾値を機能部に供給し、機能部は、第１閾値のうち、現在の無線値と上方向に近接する閾値及び下方向に近接する閾値それぞれを、通信部に第２閾値として設定し、通信部は、現在の無線値と、その後の無線値との間の変動が、第２閾値を交差するものである場合、機能部にその後の無線値を供給し、機能部は、現在の無線値とその後の無線値との間に含まれる第１閾値を供給した無線通信アプリケーションに対し、当該第１閾値を交差する無線状態の変動があった旨を通知する。【選択図】図１
2010154332.tif 000002
【特許請求の範囲】
【請求項１】
少なくとも２つの無線通信アプリケーションを含むアプリケーション部と、
少なくとも２つの異なる無線通信方式のネットワークと無線通信を行う通信部と、
前記アプリケーション部と前記通信部との間を仲介する機能部と、を備える無線通信装置であって、
前記アプリケーション部に含まれる前記無線通信アプリケーションは、前記ネットワークの無線状態に関する第１閾値を前記機能部に供給し、
前記機能部は、前記第１閾値の供給に応じ、前記通信部から対応する前記ネットワークの無線状態の値である第１無線値を取得し、前記第１閾値のうち、前記第１無線値と上方向に近接する閾値及び下方向に近接する閾値それぞれを、前記通信部に第２閾値として設定し、
前記通信部は、前記第１無線値取得後の前記ネットワークの無線状態の値である第２無線値が、前記第２閾値を交差するものである場合、前記機能部に少なくとも前記第２無線値を供給し、
前記機能部は、前記第２無線値の供給に応じ、前記第１無線値と前記第２無線値との間に含まれる前記第１閾値を供給した前記無線通信アプリケーションに対し、当該第１閾値を交差する無線状態の変動があった旨を通知する、
ことを特徴とする無線通信装置。
【請求項２】
前記機能部は、前記第２無線値の供給に応じ、前記第１閾値のうち、前記第２無線値と上方向に近接する閾値及び下方向に近接する閾値それぞれを、前記通信部に前記第２閾値として再設定する、
ことを特徴とする請求項１に記載の無線通信装置。
【請求項３】
少なくとも２つの無線通信アプリケーションを含むアプリケーション部と、
少なくとも２つの異なる無線通信方式のネットワークと無線通信を行う通信部と、
前記アプリケーション部と前記通信部との間を仲介する機能部と、を備える無線通信装置の制御方法であって、
前記アプリケーション部に含まれる前記無線通信アプリケーションが、前記ネットワークの無線状態に関する第１閾値を前記機能部に供給するステップと、
前記機能部が、前記第１閾値の供給に応じ、前記通信部から対応する前記ネットワークの無線状態の値である第１無線値を取得し、前記第１閾値のうち、前記第１無線値と上方向に近接する閾値及び下方向に近接する閾値それぞれを、前記通信部に第２閾値として設定するステップと、
前記第１無線値取得後の前記ネットワークの無線状態の値である第２無線値が、前記第２閾値を交差するものである場合、前記通信部が、前記機能部に少なくとも前記第２無線値を供給するステップと、
前記機能部が、前記第２無線値の供給に応じ、前記第１無線値と前記第２無線値との間に含まれる前記第１閾値を供給した前記無線通信アプリケーションに対し、当該第１閾値を交差する無線状態の変動があった旨を通知するステップと、
を含むことを特徴とする無線通信装置の制御方法。
【発明の詳細な説明】
【技術分野】
【０００１】
本発明は、異なる無線通信ネットワーク間でのハンドオーバが可能な無線通信装置、及び当該無線通信装置の制御方法に関するものである。
【背景技術】
【０００２】
近年、ＩＥＥＥ（The Institute of Electrical and Electronics Engineers, Inc.）では、例えば携帯電話ネットワークや無線ＬＡＮ、ＷＩＭＡＸ等、異なる複数の無線通信ネットワーク間でのハンドオーバを可能するための無線技術として、ＩＥＥＥ８０２．２１（Media Independent Handover）の規格が検討されている（例えば、非特許文献１参照。）。なお、これ以降、適宜、ＩＥＥＥ８０２．２１を「８０２．２１」と、Media Independent Handoverを「ＭＩＨ」と、それぞれ称するものとする。
【０００３】
図７は、従来の８０２．２１における無線通信装置２の概略構成を示す図である。８０２．２１では、異なる複数の無線通信ネットワーク間のハンドオーバを制御する機能としてハンドオーバ制御部１１０を設け、例えば、当該ハンドオーバ制御部１１０などを、「ＭＩＨユーザ」という名称で定義している。８０２．２１では、さらに、ハンドオーバ制御部１１０と、異なる複数の無線通信ネットワークと通信を行う通信部１３０との間の信号を仲介するための、ＭＩＨＦ（MIH Function）と呼ばれる機能部１２０を設けている。つまり、従来の８０２．２１において、ＭＩＨユーザであるハンドオーバ制御部１１０は、ＭＩＨＦである機能部１２０を通じて、通信部１３０から異なる複数の無線通信ネットワーク（例えばＷｉＦｉ、ＷｉＭａｘ、携帯電話無線など）の無線状態を取得し、当該無線状態に応じて、適宜好適な無線通信ネットワークへのハンドオーバ制御を行うことになる。
【０００４】
ＭＩＨユーザであるハンドオーバ制御部１１０は、例えばある無線通信ネットワークにおいてハンドオーバのトリガとなるような無線状態の変化があった場合に、対応する通信デバイス１３１〜１３３から迅速に当該無線状態の変化の通知を受けられるようにするため、通信部１３０の各通信デバイス１３１〜１３３に対して所定の閾値を設定する。当該閾値の設定のため、ハンドオーバ制御部１１０は、機能部１２０に閾値設定メッセージを送る。
【０００５】
閾値が設定された通信部１３０の各通信デバイス１３１〜１３３は、対応する無線通信ネットワークの無線状態パラメータが変動して、設定された閾値を「交差」（交差とは、無線状態パラメータ値の変動が、設定された閾値を上回るか、下回るものであることをいう。）した場合には、閾値設定メッセージの供給元であるハンドオーバ制御部１１０に当該交差が発生した旨を通知するため、機能部１２０に対して閾値交差メッセージを送る。機能部１２０は、交差が発生した通信デバイス１３１〜１３３から閾値交差メッセージを受け、現在の無線状態パラメータ値等から交差された閾値を特定し、閾値設定メッセージの供給元であるハンドオーバ制御部１１０に対して、閾値交差メッセージを再構成して送出する。これにより、ハンドオーバ制御部１１０は、閾値交差メッセージに基づいて、どの閾値が交差したのかを知ることができ、必要に応じて、現在接続している無線通信ネットワークから他の無線通信ネットワークへのハンドオーバ処理を実行することができる。
【０００６】
このように、８０２．２１は、各通信デバイスにおける無線情報を、ＭＩＨＦ（機能部）を介して、レイヤを超えてＭＩＨユーザ（例えばハンドオーバ制御部など）に提供する技術と言うことができる。この技術をハンドオーバの制御といった１つの無線通信アプリケーションのみに提供するのではなく、その他の無線通信アプリケーション（例えばＶｏＩＰ、テレビ電話、ＩＰ−ＴＶなど）に対しても提供することが考えられる。この場合、各無線通信アプリケーションは、各通信デバイスから無線状態の変化に応じて送られる閾値交差メッセージに基づいて、無線状態の悪化などに即応して、例えば、音声や動画像の符号化方式を低レートの方式に切り替え、音の途切れ、瞬断や、映像のフリーズを低減、回避し、継続的な音声、映像を確保することが可能となると考えられる。
【０００７】
従来であれば、符号化方式の変更といった無線通信アプリケーションの制御は、より上位のレイヤ（例えばアプリケーションレイヤ）の実スループットが低下した際にのみ行われていた。このように実スループットに影響が出てから対処した場合、無線状態といった低レイヤの通信品質が悪化してから上位レイヤにおけるスループットに影響が出るまでの時間の間に、例えば、高い符号化レートの動画像データに対する無線パケットの再送が頻発するなどして、ネットワーク上に滞留するパケットが増加してしまい、滞留したパケットが解消するまでの間に音の途切れや映像のフリーズが生じるといった問題が発生することになる。
【０００８】
ここで、上位レイヤの実スループットに影響が出るまで待つことなく、無線状態といった低レイヤの通信品質に変動があった場合に、各無線通信アプリケーションが変動を早期に検知して対処できれば、このような音の途切れや、映像がフリーズする時間を短縮ないしは、ゼロにすることが可能となる。
【０００９】
【非特許文献１】Vivek Gupta、外５名、“802.21 Tutorial”、[online]、平成１８年７月１８日、［平成２０年１２月９日検索］、ＩＥＥＥ、インターネット＜http://www.ieee802.org/21/Tutorials/802%2021-IEEE-Tutorial.ppt＞
【発明の開示】
【発明が解決しようとする課題】
【００１０】
しかし、通信部１３０の各通信デバイス１３１〜１３３からすると、携帯電話やパソコンといった無線通信端末において複数の無線通信アプリケーションが起動されていようとも、無線レイヤ上で各無線通信アプリケーションを区別して通信しているわけではない。
【００１１】
特に、従来の８０２．２１においては、通信部１３０の各通信デバイス１３１〜１３３に閾値を設定する主体がハンドオーバ制御部１１０のみであるため（換言すると、想定されるＭＩＨユーザがハンドオーバ制御部１１０のみであるため）、各通信デバイス１３１〜１３３には、複数のＭＩＨユーザ（無線通信アプリケーション）に対する閾値を個別に管理して、各閾値に対して交差が発生した場合に、対応するＭＩＨユーザ（無線通信アプリケーション）に交差の発生を通知するための機能が存在しない。このため、８０２．２１の利用用途をハンドオーバ制御以外の他の無線通信アプリケーションにまで広げた場合、機能部１２０が、各通信デバイス１３１〜１３３対して、複数のＭＩＨユーザ（無線通信アプリケーション）からの閾値を設定しようとすると、各通信デバイス１３１〜１３３では、本来１つのＭＩＨユーザ（ハンドオーバ制御部１１０）のために存在する閾値が、設定された順に随時上書きされてしまうことになり、結果として、最後に設定された閾値以外の閾値は通信デバイス上には残らず、また、最後の閾値についても、どのＭＩＨユーザ（無線通信アプリケーション）により設定されたものであるのかを区別することができない。
【００１２】
このため、各通信デバイス１３１〜１３３に閾値を設定する代わりに、ＭＩＨユーザと通信部１３０の間に位置する機能部２０にて対応する方法も考えられる。これは、機能部２０にて、複数のＭＩＨユーザ（無線通信アプリケーション）からの閾値を管理しながら、通信部３０の各通信デバイス１３１〜１３３の無線情報を定期的に取得し、ある閾値に交差が発生した場合に、対応するＭＩＨユーザ（無線通信アプリケーション）にその旨を通知するメッセージを供給するというものである。しかし、この場合、機能部２０が通信部３０から定期的に値を取得する周期が問題となる。周期が長いと検知までの時間が長くなり、周期が短いと値取得のための処理負荷が通信端末の他の処理に影響を与える可能性がある。
【００１３】
したがって、かかる点に鑑みてなされた本発明の目的は、複数のＭＩＨユーザ（無線通信アプリケーション）が設定する閾値を混同することなく、無線状態の変動により各閾値の交差が発生した場合、対応するＭＩＨユーザ（無線通信アプリケーション）に迅速に閾値交差の旨を通知可能な、無線通信装置及び無線通信装置の制御方法を提供することにある。
【課題を解決するための手段】
【００１４】
上述した諸課題を解決すべく、第１の発明による無線通信装置は、
少なくとも２つの無線通信アプリケーションを含むアプリケーション部と、
少なくとも２つの異なる無線通信方式のネットワークと無線通信を行う通信部と、
前記アプリケーション部と前記通信部との間を仲介する機能部と、を備える無線通信装置であって、
前記アプリケーション部に含まれる前記無線通信アプリケーションは、前記ネットワークの無線状態に関する第１閾値を前記機能部に供給し、
前記機能部は、前記第１閾値の供給に応じ、前記通信部から対応する前記ネットワークの無線状態の値である第１無線値を取得し、前記第１閾値のうち、前記第１無線値と上方向に近接する閾値及び下方向に近接する閾値それぞれを、前記通信部に第２閾値として設定し、
前記通信部は、前記第１無線値取得後の前記ネットワークの無線状態の値である第２無線値が、前記第２閾値を交差するものである場合、前記機能部に少なくとも前記第２無線値を供給し、
前記機能部は、前記第２無線値の供給に応じ、前記第１無線値と前記第２無線値との間に含まれる前記第１閾値を供給した前記無線通信アプリケーションに対し、当該第１閾値を交差する無線状態の変動があった旨を通知する、
ことを特徴とする。
【００１５】
また、第２の発明による無線通信装置は、
前記機能部は、前記第２無線値の供給に応じ、前記第１閾値のうち、前記第２無線値と上方向に近接する閾値及び下方向に近接する閾値それぞれを、前記通信部に前記第２閾値として再設定することを特徴とする。
【００１６】
上述したように本発明の解決手段を装置として説明してきたが、本発明はこれらに実質的に相当する方法、プログラム、プログラムを記録した記憶媒体としても実現し得るものであり、本発明の範囲にはこれらも包含されるものと理解されたい。
【００１７】
例えば、本発明を方法として実現させた第３の発明による無線通信装置の制御方法は、
少なくとも２つの無線通信アプリケーションを含むアプリケーション部と、
少なくとも２つの異なる無線通信方式のネットワークと無線通信を行う通信部と、
前記アプリケーション部と前記通信部との間を仲介する機能部と、を備える無線通信装置の制御方法であって、
前記アプリケーション部に含まれる前記無線通信アプリケーションが、前記ネットワークの無線状態に関する第１閾値を前記機能部に供給するステップと、
前記機能部が、前記第１閾値の供給に応じ、前記通信部から対応する前記ネットワークの無線状態の値である第１無線値を取得し、前記第１閾値のうち、前記第１無線値と上方向に近接する閾値及び下方向に近接する閾値それぞれを、前記通信部に第２閾値として設定するステップと、
前記第１無線値取得後の前記ネットワークの無線状態の値である第２無線値が、前記第２閾値を交差するものである場合、前記通信部が、前記機能部に少なくとも前記第２無線値を供給するステップと、
前記機能部が、前記第２無線値の供給に応じ、前記第１無線値と前記第２無線値との間に含まれる前記第１閾値を供給した前記無線通信アプリケーションに対し、当該第１閾値を交差する無線状態の変動があった旨を通知するステップと、
を含むことを特徴とする。
【発明の効果】
【００１８】
本発明によれば、各無線通信アプリケーションは、無線状態に関する第１閾値を機能部に供給し、機能部は、通信部から第１無線値を取得して第１閾値のうち第１無線値と上下方向に近接する閾値を通信部に第２閾値として設定し、通信部は、第１無線値と、第１無線値取得後の第２無線値との間の変動が、第２閾値を交差するものである場合、機能部に第２無線値を供給し、機能部は、第２無線値の供給に応じ、第１無線値と第２無線値との間に含まれる第１閾値を供給した無線通信アプリケーションに対し、第１閾値を交差する無線状態の変動があった旨を通知するため、複数のＭＩＨユーザ（無線通信アプリケーション）が設定する閾値を混同することなく、無線状態の変動により各閾値の交差が発生した場合、対応するＭＩＨユーザ（無線通信アプリケーション）に迅速に閾値交差の旨を通知することができる。
【発明を実施するための最良の形態】
【００１９】
以降、諸図面を参照しながら、本発明の実施態様を詳細に説明する。
【００２０】
図１は、本発明の一実施形態に係る無線通信端末１の概略構成を示す機能ブロック図である。通信端末１は、８０２．２１におけるＭＩＨユーザに相当するものとして、複数の無線通信アプリケーションを含むアプリケーション部１０と、複数の異なる無線通信方式のネットワークと無線通信を行う通信部３０と、８０２．２１におけるＭＩＨＦに相当するものとして、アプリケーション部１０と通信部３０との間を仲介する機能部２０と、を備える。アプリケーション部１０は、従来のＭＩＨユーザであるハンドオーバ制御部１１に加え、ＶｏＩＰ（Voice over Internet Protocol）アプリケーション１２及びＩＰ−ＴＶ（Internet Protocol - Television）アプリケーション１３を含む。ここで、アプリケーション部１０の各無線通信アプリケーション１１〜１３及び機能部２０は、例えば、揮発性メモリ（ＳＲＡＭ等）、不揮発性メモリ（ＥＥＰＲＯＭ等）、又は他の好適な記憶媒体に記憶され、ＣＰＵ（中央処理装置）等の任意の好適なプロセッサ上で実行されるソフトウェアとして構成したり、各無線通信アプリケーション１１〜１３及び機能部２０の各処理に特化した専用のプロセッサ（例えばＤＳＰ（デジタルシグナルプロセッサ））によって構成することができる。通信部３０は、３つの異なる無線通信方式のネットワークに対応する通信デバイス３１〜３３を有し、通信デバイス３１は、ＷｉＦｉの無線信号の送受信に対応した、任意の好適なインターフェース機器から構成され、通信デバイス３２は、ＷｉＭＡＸの無線信号の送受信に対応した、任意の好適なインターフェース機器から構成され、通信デバイス３３は、ＣＤＭＡ  ＥＶ―ＤＯ等の携帯電話網の無線信号の送受信（移動体無線通信）に対応した、任意の好適なインターフェース機器から構成される。
【００２１】
図２は、本発明の一実施の形態に係る無線通信装置１において、複数のＭＩＨユーザ（無線通信アプリケーション１１〜１３）からの要求に応じて、機能部２０が、通信部３０の各通信デバイス３１〜３３に閾値を設定する動作を説明するフローチャートである。
【００２２】
機能部２０は、無線通信アプリケーション１１〜１３から、閾値設定メッセージを受信すると（ステップＳ００１）、当該閾値設定メッセージの内容に基づき、閾値を設定する無線状態パラメータ毎に、閾値及びＭＩＨユーザ識別子の登録を行う（ステップＳ００２）。なお、各無線通信アプリケーション１１〜１３から機能部２０に対して送られる閾値設定メッセージに含まれる閾値を、適宜「第１閾値」というものとする。
【００２３】
図５は、本発明の一実施形態に係る閾値設定メッセージの一例を示す図である。ＭＩＨＦ＿ＩＤは機能部２０を識別する識別子、ＬＩＮＫ＿ＩＤは通信部３０の各通信デバイス３１〜３３を識別する識別子、Configure Request Setは要求する閾値設定を表す。また、Configure Request Setは、閾値の設定対象となる無線状態パラメータを表す識別子（Link Family、Parameter）と、閾値に関連付けられる動作のタイプ（０：Initiate Action threshold、１：Rollback Action threshold、２：Execute Action threshold）毎に設定される閾値とから構成される。閾値の設定対象となる無線状態パラメータとしては、例えば、無線信号の受信信号強度（ＲＳＳＩ：Receive Signal Strength Indication）や、無線区間のスループット、パケットエラーレートなどを用いることができる。ＭＩＨＦである機能部２０は、ＭＩＨユーザ１０（ハンドオーバ制御部１１、ＶｏＩＰ１２、ＩＰ−ＴＶ１３）からの閾値設定メッセージを受け、通信部３０の対応する通信デバイス３１〜３３に対して閾値の設定を行う。当該閾値は、異なる複数の無線通信ネットワークそれぞれに対して、異なる無線状態パラメータ及び異なる値を設定することができる。
【００２４】
次に、機能部２０は、通信部３０の各通信デバイス３１〜３３より、対応する無線通信ネットワークの無線状態パラメータの現在値（第１無線値）を取得する（ステップＳ００３）。機能部２０は、各通信アプリケーション１１〜１３から受信した第１閾値のうち、現在値（第１無線値）に対して上方向に近接する閾値及び下方向に近接する閾値をそれぞれ算出し（ステップＳ００４）、当該算出した閾値を、通信部３０の対応する通信デバイス３１〜３３に第２閾値として設定する（ステップＳ００５）。機能部２０は、無線通信装置１の動作終了まで、定期的にステップＳ００１〜Ｓ００５を行う（ステップＳ００６）。
【００２５】
図３は、本発明の一実施の形態に係る無線通信装置１において、第２閾値を設定された通信部３０の各通信デバイス３１〜３３が、機能部２０を通じて、各無線通信アプリケーション１１〜１３に閾値を交差した旨を伝える動作を説明するフローチャートである。
【００２６】
まず、通信部３０の各通信デバイス３１〜３３は、第１無線値取得後の対応する無線通信ネットワークの無線状態の値である第２無線値が、設定された第２閾値を交差するものである場合、機能部２０に少なくとも第２無線値を含む閾値交差メッセージを供給する。
【００２７】
図６は、本発明の一実施形態に係る閾値交差メッセージの一例を示す図である。ＭＩＨＦ＿ＩＤは機能部２０を識別する識別子、ＬＩＮＫ＿ＩＤは通信部３０の各通信デバイス３１〜３３を識別する識別子、Link Parameters Reportは交差した閾値の内容を表す。また、Link Parameters Reportは、無線状態パラメータを表す識別子（Link Family、Parameter)と、現在の無線状態パラメータ値（Current value of the parameter）と、交差した閾値のタイプ（０〜２）を示す識別子（Threshold Crossed）とから構成される。
【００２８】
機能部２０は、通信部３０から閾値交差メッセージを受信すると（ステップＳ１０１）、当該閾値交差メッセージの内容に基づき、無線状態パラメータの種別を特定するとともに（ステップＳ１０２）、閾値交差メッセージから第２無線値を取り出し、第２無線値に対して上方向に近接する閾値及び下方向に近接する閾値をそれぞれ算出し（ステップＳ１０３）、当該算出した閾値を、通信部３０の対応する通信デバイス３１〜３３に第２閾値として再設定する（ステップＳ１０４）。
【００２９】
次に、機能部２０は、先の無線値である第１無線値と、現在の無線値である第２無線値との間に含まれる第１閾値を選定し（ステップＳ１０５）、当該選定された第１閾値を供給したＭＩＨユーザ（無線通信アプリケーション）の識別子を取得し（ステップＳ１０６）、対応するＭＩＨユーザ（無線通信アプリケーション）に対して閾値交差メッセージを生成して送出する（ステップＳ１０７）。機能部２０は、無線通信装置１の動作終了まで、定期的にステップＳ１０１〜Ｓ１０８を行う（ステップＳ１０８）。
【００３０】
図４は、本発明の一実施の形態に係る無線通信装置１において、機能部２０が管理する閾値設定の一例を示す図である。図４の左列は第１閾値の順番（１〜ｎ）を示し、中央列は第１閾値を供給したＭＩＨユーザ（無線通信アプリケーション）の識別子を示し、右列は閾値のタイプ（例えば、当該閾値に関連付けられた無線通信アプリケーションの動作を識別するための識別子）を示すものである。
【００３１】
ある時刻ｔ−１において、通信部３０のある通信デバイス（例えば通信デバイス３１）から機能部２０に供給される無線値（ｔ−１）が、閾値１と閾値２との間にある場合、機能部２０は、当該通信デバイス３１に対して、閾値１及び閾値２を第２閾値として設定する。
【００３２】
次に、時刻ｔにおいて、通信部３０の通信デバイス３１における無線値（ｔ）が、第２閾値の１つである閾値２を交差して、閾値３と閾値４との間の値となった場合、通信デバイス３１は、機能部２０に対して、無線値（ｔ）を含む閾値交差メッセージを供給する。機能部２０は、通信デバイス３１から閾値交差メッセージを受信すると、無線値（ｔ）と無線値（ｔ−１）との間に含まれる閾値２と閾値３とを選定し、閾値２を供給したＭＩＨユーザ２と、閾値３を供給したＭＩＨユーザ１に対して、各々、閾値交差メッセージを生成し、送出する。
【００３３】
このように、本実施形態によれば、各無線通信アプリケーション１１〜１３は、無線状態に関する第１閾値を機能部２０に供給し、機能部２０は、通信部３０の各通信デバイス３１〜３３から第１無線値を取得して第１閾値のうち第１無線値と上下方向に近接する閾値を通信部３０に第２閾値として設定し、通信部３０の各通信デバイス３１〜３３は、第１無線値取得後の第２無線値が、第２閾値を交差するものである場合、機能部２０に第２無線値を供給し、機能部２０は、第２無線値の供給に応じ、第１無線値と第２無線値との間に含まれる第１閾値を供給した無線通信アプリケーション１１〜１３に対し、第１閾値を交差する無線状態の変動があった旨を通知するため、複数のＭＩＨユーザ（無線通信アプリケーション１１〜１３）が設定する閾値を混同することなく、無線状態の変動により各閾値の交差が発生した場合、対応するＭＩＨユーザ（無線通信アプリケーション１１〜１３）に迅速に閾値交差の旨を通知することができる。
【００３４】
また、機能部２０は、第２無線値の供給に応じ、第１閾値のうち、第２無線値と上方向に近接する閾値及び下方向に近接する閾値それぞれを、通信部３０の各通信デバイス３１〜３３に第２閾値として再設定するため、無線状態の変動に合わせて、有効な閾値を通信デバイスに再設定することができる。
【００３５】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各部材、各手段、各ステップなどに含まれる機能などは論理的に矛盾しないように再配置可能であり、複数の構成部やステップなどを１つに組み合わせたり、或いは分割したりすることが可能である。
【００３６】
なお、上述の実施例では、無線通信アプリケーションとして、ＶｏＩＰアプリケーション及びＩＰ−ＴＶアプリケーションを例示しているが、本発明に係る無線通信装置が対応可能な無線通信アプリケーションは当該アプリケーションのみに限定されるものではなく、無線通信を行う任意のアプリケーションに対応することが可能である。また、ＭＩＨユーザとしてアプリケーション部に含まれる無線通信アプリケーションの数は３つに限られず、他の任意の数とすることが可能である。
【００３７】
なお、ここでいう無線通信アプリケーションとは、ユーザの目に見えるサービスとして提供されるアプリケーションのみに限定する意図はなく、実施例に示すハンドオーバ制御部のように、例えば、無線状態に応じて通信デバイスを省電力モードに切り替えたりする機能など、ＭＩＨＦ（機能部）を通じて取得した通信部の無線状態を利用する、あらゆる機能（構成部）を指すものであることに留意されたい。
【００３８】
また、無線通信アプリケーションは、ハンドオーバ制御、ＶｏＩＰ、テレビ電話、ＩＰ−ＴＶなど、用途に応じて要求される無線情報は異なるため、各無線通信アプリケーションが通信デバイスに対して設定する閾値は、対象とする無線状態パラメータ、設定する閾値の値、及び各無線通信アプリケーションの様々な動作に関連付けられる閾値の種類の数（タイプの数）など、各々の無線通信アプリケーション毎に異なる内容となるものである。
【００３９】
また、上述の実施例では、無線通信ネットワークとして、ＷｉＦｉ、ＷｉＭＡＸ、ＣＤＭＡ  ＥＶ―ＤＯ等の携帯電話網を例示しているが、本発明に係る無線通信装置が対応可能な無線通信ネットワークは当該無線通信ネットワークのみに限定されるものではなく、例えば、ｉＢｕｒｓｔ（登録商標）、ＬＴＥ（Ｌｏｎｇ Ｔｅｒｍ Ｅｖｏｌｕｔｉｏｎ）、ＵＭＢ（Ｕｌｔｒａ Ｍｏｂｉｌｅ Ｂｒｏａｄｂａｎｄ）など、現在実用されている無線通信ネットワークのみならず将来的な実用が見込まれる無線通信ネットワークなど、あらゆる無線通信ネットワークに対応することが可能である。
【００４０】
また、上述の実施例では、第２閾値として通信デバイスに設定する閾値の数を２個としているが、第２閾値として設定可能な数は２個に限られることはなく、従来の８０２．２１の通信デバイスが対応可能な数まで、第２閾値の数を増やして設定することも可能である。
【図面の簡単な説明】
【００４１】
【図１】本発明の一実施の形態に係る無線通信装置の概略構成を示すブロック図である。
【図２】本発明の一実施の形態に係る無線通信装置の動作フローチャートである。
【図３】本発明の一実施の形態に係る無線通信装置の動作フローチャートである。
【図４】本発明の一実施の形態に係る閾値設定の一例を示す図である。
【図５】本発明の一実施の形態に係る閾値設定メッセージの一例を示す図である。
【図６】本発明の一実施の形態に係る閾値交差メッセージの一例を示す図である。
【図７】従来の無線通信装置の概略構成を示すブロック図である。
【符号の説明】
【００４２】
１  無線通信端末
１０  アプリケーション部
１１  ハンドオーバ制御部
１２  ＶｏＩＰアプリケーション
１３  ＩＰ−ＴＶアプリケーション
２０  機能部
３０  通信部
３１−３３  通信デバイス
【図１】
2010154332.tif 000003
【図２】
2010154332.tif 000004
【図３】
2010154332.tif 000005
【図４】
2010154332.tif 000006
【図５】
2010154332.tif 000007
【図６】
2010154332.tif 000008
【図７】
2010154332.tif 000009